(57)【要約】【課題】人工地盤上に敷設される植栽用マットで、盛られた土壌やその植栽上面における歩行を可能にする。【解決手段】 上部が開口するように凹設され、底部近傍に通水口を穿設されたセル内に、該セル側壁の上端部を越えない高さの柱状部材を一又は複数立設してなる植栽用マット。また、上記植栽用マットで上部が開口するように凹設され、底部近傍に通水口を穿設されたセル内に、該セル側壁の上端部を越えない高さの一又は複数の柱状部材を立設し、該セル同士をリブを介して連設する。柱状部材の適宜箇所の頂部に穴を設けると好適である。【選択図】図１
2004073213.tif 000002
【特許請求の範囲】
【請求項１】
上部が開口するように凹設され、底部近傍に通水口を穿設されたセル内に、該セル側壁の上端部を越えない高さで踏圧を受ける柱状部材が立設され、該柱状部材が中実且つ平面視略十字形に形成されていることを特徴とする植栽用マット。
【請求項２】
上部が開口するように凹設され、底部近傍に通水口を穿設されたセル内に、該セル側壁の上端部と同一高さ若しくは僅かに低い高さで踏圧を分散して受ける複数の柱状部材が立設され、該柱状部材が中実且つ平面視略十字形に形成されていることを特徴とする植栽用マット。
【請求項３】
上部が開口するように凹設され、底部近傍に通水口を穿設されたセル内に、該セル側壁の上端部と同一高さ若しくは僅かに低い高さで踏圧を分散して受ける複数の柱状部材が立設され、該柱状部材が中実且つ平面視略十字形に形成されていると共に合成樹脂で一体的に形成されていることを特徴とする植栽用マット。
【請求項４】
前記セルの底面の下方に突出部が形成されていることを特徴とする請求項１、２又は３記載の植栽用マット。
【請求項５】
前記セル内に植物育成材を詰め、該植物育成材の上部に切り芝若しくは種子シート等が載置されることを特徴とする請求項１、２、３又は４記載の植栽用マット。
【発明の詳細な説明】
【技術分野】
【０００１】
　本発明は、ビルの屋上、ベランダ、テラスなど特に人工地盤上に配設して、植物、特に芝生などの地被植物、草花、野菜等を育成する植栽用マットに関する。
【背景技術】
【０００２】
　従来、ビルの屋上、テラス、ベランダのように平面的な敷設面を有する箇所で植物を育成する場合、防水層及び防根層を形成し、又はシートを敷き、その上に土壌を盛って、芝生などの地被植物、草木、野菜等を育成していた（例えば特許文献１）。
【０００３】
　更に、底部に開口部を有し上部が開口するように凹設された方形の箱（植栽用マット）を、ビルの屋上等の平面的な敷設面に敷き詰めて、その箱内に土壌を盛って上記植物を育成することが行われている。かかる植物設備は敷設・撤去が容易で、既存の建築物にも適用できるというメリットがある。
【０００４】
　しかし、上述のような植物設備では、敷設された土壌の上部を歩行すると、踏圧により土壌のレベルが下降して固まってしまい、歩行に耐え得ない。一方、最近特に盛んになってきている芝生緑化においては、その芝生の上部を自由に歩行できることが要求されてきており、植物設備として土壌の上部を歩行しうることが必要不可欠と成りつつある。
【０００５】
　尚、他の公知技術文献として、特許文献２〜４がある。
【０００６】
【特許文献１】特開平４−９９４１１号公報
【特許文献２】特開平１０−９８９５０号公報
【特許文献３】実開昭５３−２９９３２号公報
【特許文献４】実開昭５１−７５８３６号公報
【発明の開示】
【発明が解決しようとする課題】
【０００７】
　本発明は上記問題点に鑑み提案されたもので、人工地盤上での植栽を行うための植栽用マットで、植栽用マットに盛られた土壌やその植栽上面における歩行を可能にすることを目的とする。
【課題を解決するための手段】
【０００８】
　本発明による植栽用マットは、上部が開口するように凹設され、底部近傍に通水口を穿設されたセル内に、該セル側壁の上端部を越えない高さの柱状部材を立設してなる。柱状部材は複数立設すると好適である。また、本発明による植栽用マットは、上部が開口するように凹設され、底部近傍に通水口を穿設されたセル内に、該セル側壁の上端部を越えない高さの一又は複数の柱状部材を立設し、該セル同士をリブを介して連設することを特徴とする。更に、本発明の植栽マットでは、柱状部材の適宜箇所の頂部に穴を設けると良好である。
【０００９】
　また、本発明の植栽用マットは、上部が開口するように凹設され、底部近傍に通水口を穿設されたセル内に、該セル側壁の上端部を越えない高さで踏圧を受ける柱状部材が立設され、該柱状部材が中実且つ平面視略十字形に形成されている構成、又は、該セル側壁の上端部と同一高さ若しくは僅かに低い高さで踏圧を分散して受ける複数の柱状部材が立設され、該柱状部材が中実且つ平面視略十字形に形成されている構成、又は、該セル側壁の上端部と同一高さ若しくは僅かに低い高さで踏圧を分散して受ける複数の柱状部材が立設され、該柱状部材が中実且つ平面視略十字形に形成されていると共に合成樹脂で一体的に形成されている構成であることを特徴とする。更に、セルの底面の下方に突出部が形成されている構成や、或いはセル内に植物育成材を詰め、該植物育成材の上部に切り芝若しくは種子シート等が載置される構成とすると良好である。
【発明の効果】
【００１０】
　本発明による植栽用マットは、植栽用マットに盛られた土壌や植栽された植物の状態を良好に保ちつつ、植栽用マット上、特に土壌や植物上での歩行を可能にする効果を奏する。即ち、本発明の植栽用マットは、セル内に柱状部材を立設することで、セル内に客土や軽量土壌、人工土壌などの植物育成材を盛って地被植物等を育成し植栽用マット上を歩行する際に、歩行による圧力を支える。特に複数の柱状部材を立設する場合は、個々に独立した柱状部材が歩行による圧縮力を分散して受けるので、高い強度を発揮して植栽用マットの破損を防止する。そして、上記柱状部材は、植物育成材への踏圧による土壌の固まりやその表面が窪むのを防ぎ、地被植物等の根へのダメージを和らげ、植栽された植物の状態を良好に保つことができる。
【００１１】
　更に、個々に独立する複数の柱状部材をセル内に立設することにより、セル内に詰め込まれる客土や軽量土壌の中央部分が長期間の経過により沈下したり、軽量土壌等がセル内で移動することを防止することができる。
【００１２】
　また、柱状部材の適宜箇所の頂部に小穴を設け、柱状部材の頂部がセルの側壁上端部と同一高さ又は僅かに低い高さとする場合、製造工場或いは敷設現場で植栽用マットのセル内に植物育成材を詰め、その上部に種子シートや切り芝等を載置して上面から小穴にピン等の固定具を挿し込み、種子シート等を固定することができる。従って、植栽用マットの取り扱いが極めて容易となり且つ低コストでの提供が可能となる。
【発明を実施するための最良の形態】
【００１３】
　以下、具体的な実施形態に基づいて説明するが、本発明は以下の実施形態に限定されるものではない。
【００１４】
　植栽用マット１（第一実施形態）は、図１及び図２に示す如く、上部が開口するように凹設された一つのセル２からなり、セル２の側壁２ａは上から下に向かって内向きテーパ面になっている。
【００１５】
　セル２の底面２ｂには縦横に隆起部３が形成され、隆起部３の所定箇所の上面に通水口４が穿設されている。隆起部３の内側は逆Ｕ字型の空間で凹溝の開口部５になっており、余剰水は通水口４から開口部５を通って排出される構成である。
【００１６】
　隆起部３とセル２の側壁２ａで区画された領域には、それぞれ個々に独立した４本の柱状部材６がセル２の底面２ｂに垂直方向に立設され、その頂面には小穴７が設けられている。ここでは、各柱状部材６の高さは、セル２の側壁２ａの高さに対して約３／５の高さである。そして、柱状部材６は中空で下部は開放部８になっており、セル２の底面２ｂに設けられた凸部９の周囲に係合して嵌着している（図３）。凸部９の形状は、柱状部材６の下部内側に係合嵌着する形状であれば任意である。尚、小穴７は適宜箇所の柱状部材６に設けてもよい。
【００１７】
　植栽用マット１の材質としては、合成樹脂製のものが良好であり、塩化ビニル、ポリプロピレン、ポリエステル、ポリエチレン、ポリスチレン等が用いられ、真空成型、ブロー成型、射出成型、押し出し成型等の成型方法で形成される。また、セル２の大きさは適宜である。
【００１８】
　また、他の実施形態の植栽用マット１は、図４及び図５に示す如く、凹設された一つのセル２からなり、四面の側壁２ａの下部を内側にへこませて、へこみ部１０を形設している（第二実施形態）。
【００１９】
　セル２の側壁２ａの下部から底面２ｂの中心に向かって隆起部３が形成され、セル２の中心付近に位置する隆起部３の端部上面には、通水口４が穿設されている。隆起部３の内側は逆Ｕ字型の空間で凹溝の開口部５になっており、余剰水は通水口４から開口部５を通って排出される構成である。
【００２０】
　隆起部３とセル２の側壁２ａとの間には、それぞれ独立した４本の柱状部材６が立設され、その頂面には小穴７が形成されている。柱状部材６の高さは、側壁２ａの高さよりやや低い。柱状部材６はセル２と一体成型され、柱状部材６内は中空で下面は開放してある。
【００２１】
　ここで、上記植栽用マット１を実際に使用する場合に、セル２内に植物育成材１１を詰め、その上部に切り芝１２を載置し、固定ピン１３で固定した状態を図６に示す。尚、固定ピン１３に代えて、例えば略Ｕ字型の針金の両端を種子シートや切り芝等の上部から挿し込み、その一方を柱状部材６頂部の小穴７に挿入し、他方を柱状部材６の外側面に圧接させ固定してもよく、固定具はその他適宜のものを選定できる。
【００２２】
　上記のように柱状部材６の上端面がセル２の側壁２ａの上端部分と同一高さか又は僅かに低い場合には、製造工場或いは敷設現場でセル２内に植物育成材１１を詰め、その上部に切り芝１２を載置して固定することができるので、切り芝が浮き上がるのを防止して根付きを良好にでき、且つ極めて取り扱いを容易にして、低コストで提供することを可能にする。
【００２３】
　更に、複数の柱状部材６が立設しているので（図７）、植栽用マット１に植栽した地被植物等の上面を歩行した際に、柱状部材６が上部からの圧縮力を分散して受けて高い強度を発揮し、植栽用マット１の破損を防止すると共に、土壌への圧迫を防いで土壌が固まるのを防ぎ地被植物等の根へのダメージを和らげる。
【００２４】
　尚、柱状部材６は上記の他、図８の如く、平面形状を略十字型に形成した中実の柱状部材６をセル２と一体成型してもよく、又はセル２の底面２ｂに凸部９を形成し、略十字型の柱状部材６の下部に凹部を形成して、その双方を凹凸に係合嵌着するなど、適宜である。
【００２５】
　この略十字型の柱状部材６を有する植栽用マット１で切り芝等を固定する場合には、上述の如く略Ｕ字型の針金の両端を切り芝等の上部から挿し込んで固定する、或いは小穴７を利用することなく略Ｕ字型の針金の両端を、略十字型の柱状部材６の一片に挟着してもよい。
【００２６】
　次に、複数のセル２同士を連設して植栽用マット１とする場合について説明する。第三実施形態の植栽用マット１は、図９乃至図１１に示す如く、複数個の略方向のセル２が凹設され、隣接するセル２相互はその上端部を連結リブ１４ａを介して連設された方形のマットフレーム１５からなる。
【００２７】
　マットフレーム１５の外周部でセル２の側壁２ａの上端部には、連結リブ１４ａと略同一高さの周縁リブ１４ｂが設けられている。各セル２内の底面２ｂに通水口４、開口部５及び個々に独立した複数の柱状部材６を設ける構成は、第二実施形態と同様である。
【００２８】
　連結リブ１４ａ、周縁リブ１４ｂの厚さは、可撓性を持たせて敷設面の凹凸など（スラブ）の不陸によく追従させると同時に、マットフレーム１５に直接又は歩行板を敷いて人が乗っても、つぶれない程度の強度を有する厚さとすることが必要である。また、セル２の厚さも同様の配慮が必要となる。尚、場合によって、連結リブ１４ａは別体で設けることも可能である。
【００２９】
　上記植栽用マット１は、複数のセル２の底面２ｂで支持されて屈曲により安定感を有すると共に、屋上等のスラブ面に敷き詰め可能な形状となる。
【００３０】
　また、マットフレーム１５の適宜箇所の連結リブ１４ａ、周縁リブ１４ｂは幅広に形成してもよい。図１２及び図１３には、マットフレーム１５の縦横中心で連結リブ１４ａを幅広に形成した植栽用マット１を示す（第四実施形態）。幅広にするリブはこれに限定されるものではなく、適宜箇所の縦方向や横方向の連結リブ１４ａや周縁リブ１４ｂを幅広に形成することが可能で、縦方向のみ、横方向のみ、又は縦横方向など適宜にリブを幅広にして良い。リブの幅は必要に応じて適宜決定される。
【００３１】
　第四実施形態の柱状部材６は、中実でセル２の底面２ｂに一体成型され、各柱状部材６の頂面には小穴７が設けられている（図１４）。底面２ｂにおける通水口４や開口部５の構成は第二実施形態の構成と同一である。
【００３２】
　さらなる実施形態として第五実施形態の植栽用マット１は、図１５及び図１６に示す如く、複数個の略方形のセル２が凹設され、隣接するセル２相互はその上端部を連結リブ１４ａを介して連設され、マットフレーム１５を形成し、マットフレーム１５の外周部には、側壁２ａの上端部に連結リブ１４ａと略同一高さの周縁リブ１４ｂが設けられている。そして、マットフレーム１５の相隣する二側面（図面において右側面と下側面）に位置するセル２の外側壁２ａの下部を内側にへこませ、へこみ部１０を形設している。
【００３３】
　側壁２ａ下部から底面２ｂ中心に向かって隆起部３が形成され、隆起部３の上面適宜箇所には通水口４が穿設されている。隆起部３の内側は逆Ｕ字型の空間で凹溝の開口部５になっており、余剰水は通水口４と開口部５を通って排出される。隆起部３と側壁２ａの間には、それぞれ独立した４本の柱状部材６が立設され、その頂部には小穴７が形成されている。
【００３４】
　ここでは、柱状部材６とセル２内の底面２ｂとの固定の構成は例示しないが、柱状部材６を中空とし底面２ｂと一体成型する、柱状部材６を中空とし底面２ｂに係合嵌着する、柱状部材６を中実とし底面２ｂと一体成型する、柱状部材６を中実とし底面２ｂに係合嵌着する、の内いずれかの構成とする。
【００３５】
　また、第六実施形態の植栽用マット１は、第二実施形態の植栽用マット１の四個を、上端部で連結リブ１４ａと周縁リブ１４ｂを介して、一体に連設したものである（図１７、図１８）。各セル２の側壁２ａの下部には内側にへこみ部１０を形設されており、底面２ｂの通水口４や立設する柱状部材６の構成は第二実施形態と同一である。
【００３６】
　一方、第七実施形態の植栽用マット１は、マットフレーム１５が一つのセル２からなるもので、四方の側壁２ａの下部に内側方向にへこみ部１０を形設している（図１９、図２０）。第二実施形態の植栽用マット１と類似の構成であるが、セル２内の底面２ｂの下方に中空の突出部１６を所定寸法に形成し、底面２ｂのレベルを適宜寸法上方に移動し、突出部１６の底部近傍に通水口４を形成している（図２１）。
【００３７】
　この植栽用マット１も、底面２ｂに柱状部材６が立設され、その頂部に小穴７が設けられている。柱状部材６の高さは、セル２の側壁２ａの高さよりやや低い。各柱状部材６はセル２が一つであるマットフレーム１５と一体成型され、柱状部材６内は中空で、その下面は開放状態にある。
【００３８】
　次に、上述した植栽用マット１を敷設する状態について説明する。図２２の敷設例は、第二実施形態の植栽用マット１に植物育成材１１を詰め込んで切り芝１２を張り、セル２内の個々に独立した柱状部材６の頂部に設けた小穴７に固定ピン１３を挿し込んで切り芝１２を固定し、屋上、ベランダ、テラス等の敷設面に敷き詰めるものである。
【００３９】
　かように敷き詰められた芝生面の下に位置する各植栽用マット１内には、芝生上面の踏圧を受ける複数の柱状部材６が立設されており、これにより、植栽用マット１内の土壌が固まることなく、芝生面に凹凸を生ずることもないので、芝生を長期に安定した状態で使用することができる。
【００４０】
　尚、植栽用マット１における柱状部材６の形状は、上述したものに限定されることなく、楕円形柱状、多角形柱状、円錐形状、角錐形状等、その他本発明の機能・要素を有すれば適宜である。その高さは、セル２内に詰め込まれる植物育成材１１の種類、育成植物の種類、その他種々の条件に応じて適宜設定されるものである。また、植栽用マット１は上述した形状に限定されることなく、本発明の主旨の範囲内である植栽用マット１の全てを包含するものである。
【産業上の利用可能性】
【００４１】
　本発明の植栽用マットは、ビルの屋上、テラス、ベランダ等の人工地盤上で植物を育成する際に利用することができる。
【図面の簡単な説明】
【００４２】
【図１】本発明による植栽用マットの第一実施形態の平面図。
【図２】図１の植栽用マットのＡ−Ａ線断面図。
【図３】柱状部材の係合関係を示す斜視図。
【図４】本発明による植栽用マットの第二実施形態の平面図。
【図５】図４の一部断面正面図。
【図６】図４の植栽用マットに植物育成材と切り芝を設けた状態のＢ−Ｂ線断面図。
【図７】図４の斜視図。
【図８】第二実施形態の変形例の斜視図。
【図９】本発明による植栽用マットの第三実施形態の平面図。
【図１０】図９の正面図。
【図１１】図９のＣ−Ｃ線縦断面図。
【図１２】本発明による植栽用マットの第四実施形態の平面図。
【図１３】図１２の正面図。
【図１４】第四実施形態における柱状部材の頂部に設けた小穴部分の部分斜視図。
【図１５】本発明による植栽用マットの第五実施形態の平面図。
【図１６】図１５の正面図。
【図１７】本発明による植栽用マットの第六実施形態の平面図。
【図１８】図１７の正面図。
【図１９】本発明による植栽用マットの第七実施形態の平面図。
【図２０】図１９の一部断面正面図。
【図２１】突出部の部分斜視図。
【図２２】植栽用マットの敷設状態を示す斜視図。
【符号の説明】
【００４３】
１ 　植栽用マット
２ 　セル
３ 　隆起部
４ 　通水口
５ 　開口部
６ 　柱状部材
１０ 　へこみ部
１４ａ 　連結リブ
１４ｂ 　周縁リブ
１５ 　マットフレーム
【図１】
2004073213.tif 000003
【図２】
2004073213.tif 000004
【図３】
2004073213.tif 000005
【図４】
2004073213.tif 000006
【図５】
2004073213.tif 000007
【図６】
2004073213.tif 000008
【図７】
2004073213.tif 000009
【図８】
2004073213.tif 000010
【図９】
2004073213.tif 000011
【図１０】
2004073213.tif 000012
【図１１】
2004073213.tif 000013
【図１２】
2004073213.tif 000014
【図１３】
2004073213.tif 000015
【図１４】
2004073213.tif 000016
【図１５】
2004073213.tif 000017
【図１６】
2004073213.tif 000018
【図１７】
2004073213.tif 000019
【図１８】
2004073213.tif 000020
【図１９】
2004073213.tif 000021
【図２０】
2004073213.tif 000022
【図２１】
2004073213.tif 000023
【図２２】
2004073213.tif 000024